(57)【特許請求の範囲】
【請求項１】
四辺形の割出し可能なドリルインサート（１００）であって、
ほぼ平坦な頂面（１０１）及び底面（２０１）、ならびに前記ドリルインサート（１００）の４つの側部から前記頂面及び底面（１０１及び２０１）に隣接する側面（１０２）であって、正の切削形状を提供するために前記底面（２０１）が前記頂面（１０１）よりも小さい、頂面（１０１）及び底面（２０１）、ならびに側面（１０２）と、
前記頂面（１０１）と交差する前記側面（１０２）の４つの同一の切刃（１０３）であって、前記切刃（１０３）の各々が、第１の部分刃（１０４）と第２の部分刃（１０６）と第３の部分刃（１０８）と第４の部分刃（１０９）とを有し、第１の部分刃（１０４）、第２の部分刃（１０６）、第３の部分刃（１０８）および第４の部分刃（１０９）は、各切刃（１０３）の一端から他端に向かってこの順序で配列されており、
前記第１の部分刃（１０４）は、前記ドリルインサート（１００）の中心軸線の周りの仮想内接円（３０１）に向かって内向きに延在して前記第２の部分刃（１０６）に接続され、
前記第２の部分刃（１０６）は、凸曲線（１０５）を介して前記第１の部分刃（１０４）に接続されているとともに、前記仮想内接円（３０１）に対して接線方向にあり、
前記第３の部分刃（１０８）は、前記第４の部分刃（１０９）に向かって見たときに、前記ドリルインサート（１００）の中心軸線から離れて延びかつ凹曲線（１０７ａ）によって前記第２の部分刃（１０６）に接合され、
前記第４の部分刃（１０９）は、前記ドリルインサート（１００）の水平軸線（Ｂ−Ｂ）に平行に延び、かつ凸曲線（１０７ｂ）によって前記第３の部分刃（１０８）に接合される
４つの同一の切刃（１０３）と、
所定の半径の複数の湾曲したノーズ部（１１０）であって、各々が、１つの切刃の前記第１の部分刃（１０４）に隣接し、引き続く切刃（１０３）の前記第４の部分刃（１０９）を伴う前記インサート（１００）の４つのコーナーのそれぞれ１つに配置される複数の湾曲したノーズ部（１１０）と、
前記インサート（１００）にドリル本体（５００）を取り付けるために前記ドリルインサート（１００）の前記頂面（１０１）と前記底面（２０１）との間に延びる前期ドリルインサート（１００）の中心に配置された貫通穴（１１１）と、
前記ドリルインサート（１００）の底面（２０１）に設けられた面取り部（１１２）と、
を備える四辺形の割出し可能なドリルインサート（１００）。
【請求項２】
前記第１の部分刃（１０４）が直線状であり、前記第４の部分刃に対して平行な前記ドリルインサート（１００）の水平軸線（Ｂ−Ｂ）に対して０．５°〜５°の範囲の角度（α）で傾斜される、請求項１に記載のドリルインサート。
【請求項３】
前記第２の部分刃（１０６）が直線状であり、前記第４の部分刃に対して平行な前記ドリルインサート（１００）の水平軸線（Ｂ−Ｂ）に対して５°〜１５°の範囲の角度（β）で傾斜される、請求項１に記載のドリルインサート。
【請求項４】
前記第３の切刃（１０８）が直線状であり、前記第４の部分刃に対して平行な前記ドリルインサート（１００）の水平軸線（Ｂ−Ｂ）に対して２０°〜５０°の範囲の角度（ε）で傾斜される、請求項１に記載のドリルインサート。
【請求項５】
前記湾曲したノーズ部（１１０）の各々が０．４ｍｍ〜１．２ｍｍの範囲の半径（Ｒ）を有する、請求項１に記載のドリルインサート。
【請求項６】
前記貫通穴（１１１）が、インサートねじを受容するために口部（１１１ａ）と一連の段部（１１１ｂ）とを備える、請求項１に記載のドリルインサート。
【請求項７】
前記面取り部（１１２）の角度（γ）が、前記ドリルインサート（１００）の厚さに依存して前記ドリルインサート（１００）の垂直軸線に対して０°〜４５°の範囲にある、請求項１に記載のドリルインサート。
【請求項８】
前記貫通穴（１１１）が、前記頂面（１０１）の近くに設けられた口部（１１１ａ）を含み、前記頂面（１０１）に、前記口部（１１１ａ）の周りの突出部（１１３）が設けられる、請求項１に記載のドリルインサート。
【請求項９】
前記インサート（１００）の側面（１０２）のコーナー（１０２ａ）が、前記ドリルインサート（１００）の垂直軸線に対して０°〜１１°の範囲の角度（Ψ）を形成する、請求項１に記載のドリルインサート。
【請求項１０】
周辺ポケット（６０２）に取り付けられた請求項１に記載の四辺形の割出し可能なドリルインサート（１００）と、中心ポケットに取り付けられたインサートとを備えるドリル本体（５００）。
【発明の詳細な説明】
【技術分野】
【０００１】
以下の明細書は、特に、本発明の性質及び本発明が実行されるべき方法を記載している。
【０００２】
本出願は、２０１１年７月２２日に出願された現在係属中のインド特許出願第２５１５／ＣＨＥ／２０１１号の継続である。本出願は、親出願としての前記出願の追加特許として出願される。
【０００３】
本開示の実施形態は、ドリルインサートに関し、より詳しくは、実施形態は、ドリル本体の周辺ポケット用の四辺形の割出し可能なドリルインサートに関する。
【背景技術】
【０００４】
ドリル工具は、金属ワークピースの円筒穴を穿孔するために使用される。ドリル工具の切削又は穿孔動作は、ドリル工具に選択的に取り付けられる工具ホルダ及びドリルインサートの組み合わせ等のほぼ円筒状の細長いドリル工具によって行ってもよい。次に、このような構成は、工具ホルダの一端が、ホルダをその長手方向軸線を中心に回転させる駆動装置にしっかりと取り付けられる用途に使用してもよい。細長い工具ホルダの反対側端部において、切削インサートが、切削されるべき材料に係合する。代わりに、例えばホルダを旋盤等の心押し台に位置付けする際に、ワークピースをホルダ及び切削インサートに対して回転させてもよい。さらに、工具及びワークピースを互いに回転させてもよい。切削インサートを使用することにより、工具全体の代わりに、切削表面の摩耗の際にインサートの迅速な変更が可能になり、ドリルアセンブリ全体ではなく、インサートを単に変更することによって、様々な異なる穿孔用途のために１つの工具を使用することが可能になる。
【０００５】
割出し可能なドリルインサートは、順々に切削するためにインサートの全ての側面を使用することができるので、穿孔において非常に重要な役割を果たす。さらに、インサートを使用することにより、製造準備時間及び組立時間が低減される。
【０００６】
四辺形の割出し可能なドリルインサートの使用は当業界で公知である。しかし、当業界のインサートは、ワークピースを切削するための４つの長方形切刃を備える。長方形切刃を使用することにより、正確に中心ではなくドリル本体全体に切削力が作用するので、ドリルがその中心からずれることになる。さらに、ドリルのずれにより、実用の用途において不適切な狭い壁が形成される。さらに、割出し可能な従来のドリルインサートは、ドリル穴の直径が所定値よりも小さい場合にドリル穴の表面を擦る。
【０００７】
最近、ドリル本体の切削力をバランスさせて、ドリルが中心からずれるのを防止するために、多くの技術が様々なドリルインサート製造によって導入されている。１つのこのような技術は、切刃を複数の部分刃に分割することである。部分刃は、切削力をバランスさせるために所定のパターンで向けられる。従来のドリルインサートでは、部分刃は、凸曲線と凹曲線とを備える遷移刃によって接合される。従来の切削インサートにおけるチップ形成は滑らかでないが、この理由は、凹部から凸部にわたって突然の変化があり、この結果、高い応力領域がもたらされるからである。同様に、チップは、時に、より小さい破片に分割することがあり、これらの破片は、ドリル工具のフルートに入る代わりにドリル工具の周りに至り、これによって、生成される穴の表面仕上げを破壊する。
【発明の概要】
【発明が解決しようとする課題】
【０００８】
前述の考察に鑑み、上記の背景で述べた従来技術の限界を克服するためのドリルインサートを開発することが必要である。
【課題を解決するための手段】
【０００９】
本開示に請求したようなドリルインサートを提供することによって、従来技術の欠点が克服されかつ追加の利点が提供される。
【００１０】
追加の特徴及び利点は本開示の技術によって実現される。本開示の他の実施形態及び態様は本明細書に詳細に記載され、主張する本開示の一部であると考えられる。
【００１１】
本開示は、四辺形の割出し可能なドリルインサートであって、ほぼ平坦な頂面及び底面と、ドリルインサートの４つの側部から頂面及び底面に隣接する側面とを備え、正の切削形状を提供するために底面が頂面よりも小さい、四辺形の割出し可能なドリルインサートを提供する。側面の４つの同一の切刃は頂面に交差し、各切刃は、第１の部分刃をドリルインサートの最も近いコーナーから見たときに、ドリル本体の軸線に向かって内側に向けられた第１の部分刃と、第１の部分刃から延びかつインサート軸線を中心とする仮想内接円に対して接線方向にある第２の部分刃と、第２の部分刃をドリルインサートの最も遠いコーナーから見たときに、ドリルインサートの中心軸線から離れて延びかつ凹曲線によって第２の部分刃に接合される第３の部分刃と、第４の部分刃をドリルインサートの最も遠いコーナーから見たときに、ドリルインサートの中心軸線から離れて延びかつ凸曲線によって第３の部分刃に接合される第４の部分刃とを備える。さらに、ドリルインサートは、各々が所定の半径を有しかつインサートの４つのコーナーの各々に配置された４つの湾曲したノーズ部を備える。各々の湾曲したノーズ部は、１つの切刃の第１の部分刃に隣接し、引き続く切刃の第４の部分刃を伴う。ドリルインサートはまた、インサートにドリル本体を取り付けるためにドリルインサートの頂面と底面との間に延びるドリルインサートの中心の貫通穴と、ドリルインサートの底刃に設けられた面取り部とを含む。
【００１２】
本開示の一実施形態では、前記ドリルインサートはドリル本体の周辺ポケットに取り付けられる。
【００１３】
本開示の一実施形態では、部分刃は直線状であり、この場合、第１の部分刃、第２の部分刃、第３の部分刃及び第４の部分刃は、インサートの水平軸線に対してそれぞれ約０．５°〜約５°、約５°〜約１５°、約２０°〜約５０°の範囲及び０°の角度で傾斜される。
【００１４】
本開示の一実施形態では、湾曲したノーズ部の各々は約０．４ｍｍ〜約１．２ｍｍの範囲の半径を有する。
【００１５】
本開示の一実施形態では、貫通穴は、インサートねじを受容するために口部と一連の段部とを備える。
【００１６】
本開示の一実施形態では、面取り部の角度はドリルインサートの厚さに依存し、好ましくは、ドリルインサートの垂直軸線に対して約３０°である。
【００１７】
本開示の一実施形態では、頂面には口部の周りの突出部が設けられる。
【００１８】
本開示の一実施形態では、インサートの刃面のコーナーは、ドリルインサートの垂直軸線に対して約０°〜約１１°の範囲の角度を成して、インサートとポケットとの間の逃げ角を容易にする。
【００１９】
上記の概要は例示的なものに過ぎず、決して、限定することを意図するものではない。上記の例示的態様、実施形態、及び特徴に加えて、別の態様、実施形態、及び特徴が、図面及び以下の詳細な説明を参照することによって明らかになるであろう。
【００２０】
本開示の新規な特徴及び特性は添付の特許請求の範囲に記載される。しかし、本開示自体、並びに本開示の好ましい使用モード、別の目的及び利点は、添付図と関連して読むときに、例示的な実施形態の以下の詳細な説明を参照することによって最もよく理解されるであろう。ここで、１つ以上の実施形態は、同様の参照番号が同様の要素を表す添付図を参照して一例としてのみ示される。
【図面の簡単な説明】
【００２１】
【図１】本開示による一例のドリルインサートの頂面斜視図である。
【図２】図１のドリルインサートの底面斜視図である。
【図３】図１のドリルインサートの頂面図である。
【図４】図１のドリルインサートの側面図である。
【図５】ドリル本体の周辺ポケットに配置された図１のドリルインサートと、ドリル本体の中心ポケットの従来のインサートとを有する本開示によるドリル本体の図面である。
【図６】ドリル本体の周辺ポケットの図１のドリルインサートを有する図５のドリル工具の分解図である。
【発明を実施するための形態】
【００２２】
図は、例示目的のみのために本開示の実施形態を示している。当業者は、以下の説明から、本明細書に記載した本開示の原理から逸脱することなく、本明細書に示される構造及び方法の代替実施形態を使用してもよいことを容易に認識するであろう。
【００２３】
上記のことは、以下の本開示の詳細な説明をよりよく理解し得るために本開示の特徴及び技術的利点を広く略述している。本開示の請求項の主題を形成する本開示の追加の特徴及び利点について以下に説明する。開示した概念及び特定の実施形態は、本開示の同じ目的を実行するための他の構造を修正又は設計するための基礎として容易に利用し得ることが当業者によって認識されるべきである。このような等価の構造が、添付の特許請求の範囲に記載される本開示の精神及び範囲から逸脱しないことも当業者によって認識されるべきである。別の目的及び利点と共に、本開示の操作機構及び方法の両方に関して本開示の特性であると考えられる新規な特徴は、添付図と関連して考慮するときに以下の説明からよりよく理解されるであろう。しかし、図の各々が例示及び説明目的のみのために提供され、本開示の限定の定義として意図されるものではないことを明確に理解すべきである。
【００２４】
背景技術に記載した欠点を克服するために、四辺形の割出し可能なドリルインサートが開発されてきた。本開示の一例のドリルインサートは、ドリル本体の中心に力を導く複数の部分刃を有する４つの同一の切刃からなり、穿孔作業中にドリル本体がその中心からずれることを防止するのを助ける。
【００２５】
図１〜図４は、本開示による一例のドリルインサート（１００）の例示的な実施形態の図面を示している。図５及び図６は、一例のドリルインサート（１００）を有する本開示による一例のドリル本体（５０２）の図面を示している。ドリルインサート（１００）は、頂面（１０１）と、底面（２０１）と、頂面及び底面（１０１及び２０１）に隣接する側面（１０２）とを備える。ドリルインサート（１００）の頂面（１０１）は、ドリルインサート（１００）とドリル本体（５０２）（図５及び図６）のポケット（６０２）（図６）との間に正の逃げ角を提供するために底面（２０１）よりも大きい。図１及び図３に示したように、頂面（１０１）の刃（１０３）は、穿孔軸線（５０４）に力を導き、これによってドリル本体（５０２）がその中心からずれることを防止するために、複数の部分刃（１０４、１０６、１０８及び１０９）に分割される。
【００２６】
引き続き図１及び図３を参照すると、各々の切刃（１０３）の第１の部分刃（１０４）は、ドリルインサート（１００）の中心軸線に向かって内側に向けられ、ドリルインサート（１００）の水平（図３に示した向きに対して）軸線（Ｂ−Ｂ）に対して約０．５°〜約１．５°の範囲の角度（α）を形成する。例示的な実施形態では、第１の部分刃（１０４）の角度（α）は、ドリルインサート（１００）の水平軸線（Ｂ−Ｂ）に対して約１°である。第２の部分刃（１０６）は、凸曲線（１０５）を介して第１の部分刃（１０４）の隣接する部分刃に接続される。第２の部分刃（１０６）は、ドリルインサート（１００）の水平軸線（Ｂ−Ｂ）に対して約５°〜約１５°の範囲の角度（β）を形成する。例示的な実施形態では、第２の部分刃（１０６）の角度（β）は、ドリルインサート（１００）の水平軸線（Ｂ−Ｂ）に対して６°である。第２の部分刃（１０６）は、ドリルインサート（１００）の内接円（３０１）に対して接線方向にある。第３の部分刃（１０８）は、凹曲線（１０７ａ）を介して第２の部分刃（１０６）に接続される。第３の部分刃（１０８）は直線状であり、一般にドリルインサート（１００）の中心から離れて延び、ドリルインサート（１００）の水平軸線（Ｂ−Ｂ）に対して約２０°〜約５０°の範囲の角度（ε）を形成する。例示的な実施形態では、第３の部分刃（１０８）の角度（ε）は、ドリルインサート（１００）の水平軸線（Ｂ−Ｂ）に対して３４°である。第４の部分刃（１０９）は、凸曲線（１０７ｂ）を介して第３の部分刃（１０８）に接続される。第４の部分刃（１０９）は直線状であり、一般にドリルインサート（１００）の中心から離れて延び、ドリルインサート（１００）の水平軸線（Ｂ−Ｂ）に対して０°の角度を形成し、したがって平行である。さらに、切刃（１０３）のコーナー（１１０）はコーナー半径（Ｒ）を有し、それぞれの切刃（１０３）の各々のコーナー（１１０）は、１つの切刃（１０３）の第４の部分刃（１０９）を引き続く切刃（１０３）の第１の部分刃（１０４）に接続する。各々のコーナー（１１０）のコーナー半径は、インサート（１００）の厚さ及び内接円（３０１）の直径に依存する。コーナー半径は、約０．４ｍｍ〜約１．２ｍｍの範囲にある。
【００２７】
ドリルインサート（１００）の凹曲線（１０７ａ）と凸曲線（１０７ｂ）との間に第３の部分刃（１０８）を設けることにより、より優れたより滑らかなチップ形成が可能になる。したがって、これにより、チップが破片に分割するのが防止される。したがって、１つのみの完全なチップが切刃（１０３）全体にわたって形成され、フルート（５０３）（図５）を介して除去が達成される。
【００２８】
本開示の一実施形態では、第１の部分刃（１０４）及び第２の部分刃（１０６）は、それぞれ傾斜が正である角度（αとβ）で、内接円（３０１）に向かって内側に向けられ、すなわち、第１及び第２の部分刃はドリルインサート（１００）の水平軸線（Ｂ−Ｂ）から高くなっている。
【００２９】
さらに、インサート（１００）にドリル本体（５０２）（図５）を取り付けるためにドリルインサート（１００）は、ドリルインサート（１００）の頂面（１０１）から底面（２０１）に延びる穴（１１１）を含む。図１を参照すると、ドリルインサート（１００）を取り付けるためのインサートねじ（６０１）（図６）を図５に示したようなドリル本体（５０２）のポケット（６０２）に受容するために、口部（１１１ａ）が頂面（１０１）の穴（１１１）の周りに設けられ、一連の段部（１１１ｂ）が穴（１１１）の円周に設けられる。
【００３０】
本開示の一実施形態では、突出部（１１３）（図１及び図４）がドリルインサート（１００）の頂面（１０１）に設けられる。前記突出部（１１３）は、穿孔作業から生じるチップの切削／断片化を容易にし、チップをドリル本体（５０２）のヘリカルフルート部（５０３）に導いて、チップの除去を容易にする。
【００３１】
ドリルインサート（１００）の側面（１０２）は、ドリルインサート（１００）をドリル本体（５０２）のポケット（６０２）の内部に固定するために複数の突出部（１１４）（図２）を含む。突出部（１１４）は、ポケット（６０２）の壁と接触し、ポケット（６０２）の内部におけるドリルインサート（１００）の回転運動を阻止する。さらに、側面（１０２）のコーナー（１０２ａ）は、ドリルインサート（１００）の垂直軸線（Ａ−Ａ）に対して約０°〜約１５°の角度（ψ）を成して、インサート（１００）とポケット（６０２）との間の逃げ角を容易にする。本開示の一態様では、コーナーの角度（ψ）は、ドリルインサート（１００）の垂直軸線（Ａ−Ａ）に対して１１°である。この逃げ角は一次逃げ角であり、ドリル本体（５００）（図５）のポケット（６０２）からインサート（１００）を容易に取り外すのを助ける。
【００３２】
図３及び図４は、ドリルインサート（１００）の頂面図及び正面図を示した例示的な実施形態である。切刃を複数の部分刃（１０４、１０６、１０８及び１０９）に分割することが、ドリルインサート（１００）の頂面図に明確に示されている。凹曲線（１０７ａ）と凸曲線（１０５及び１０７ｂ）とを有する部分刃（１０４、１０６、１０８及び１０９）は、ドリル本体（５０２）の中心又は穿孔軸線（５０４）に切削力を導き、これにより、ドリルがその中心からずれることが防止される。部分刃（１０４、１０６、１０８及び１０９）のサイズ又は長さは、内接円直径（３０１）がインサートの様々なサイズを受容するように増大するにつれて変化し、したがって、サイズが増大するにつれて比例して変化するようになる。一実施形態では、第１の部分刃（１０４）、及び第２の部分刃（１０６）は共に、切刃（１０３）の全長の約３０％〜約６０％の範囲の長さを形成し、第４の部分刃（１０９）の長さは切刃（１０３）の全長の約３０％〜約６０％の範囲にある。
【００３３】
本開示の一実施形態では、第３の部分刃（１０８）の長さは、ドリルインサート（１００）の内接円（３０１）の直径の約０．５％〜約５％の範囲にある。本開示の一態様では、第３の部分刃の長さは、ドリルインサート（１００）の内接円（３０１）の直径の１．５％である。
【００３４】
さらに、インサート（１００）の二次逃げ角を容易にするために、面取り部（１１２）が、図４に示したように、底部（２０１）に向かってドリルインサート（１００）の底刃に設けられる。面取り部（１１２）の角度（γ）はインサート（１００）の厚さに依存し、角度（γ）はドリルインサート（１００）の垂直軸線（Ａ−Ａ）に対して約２５°〜約４５°である。本開示の一態様では、面取り部の角度は、ドリルインサート（１００）の垂直軸線（Ａ−Ａ）に対して約３０°である。面取り部（１１２）はドリル本体（５０２）のポケット（６０２）（図６）の掘削を防止し、次に、このことは、ドリルインサート（１００）が動作しているときにポケット（６０２）の摩耗を排除する。面取り部（１１２）はまた、ドリル穴の直径が所定の限界よりも小さい場合に、ドリルインサート（１００）によるドリル穴の表面の擦れを排除する。
【００３５】
一実施形態では、ドリルインサート（１００）はドリル本体（５０２）の周辺ポケット（６０２）で使用される。切刃（１０３）のコーナー／ノーズ部（１１０）は、ドリル本体（５０２）の内部ポケット（６０２）のインサートによって形成される穴を拡大する。
【００３６】
図５は、ドリル本体の周辺ポケット（６０２）内の本開示のドリルインサートと、ドリル本体の中心ポケット内の従来のインサートとを有するドリル本体を示している例示的な実施形態である。ドリル工具（５００）は、所定の長さのシャンク（５０１）と円筒基本形状のドリル本体（５０２）とを含む。ドリル本体（５０２）は、ドリルインサートを受容するために、一方がドリル本体の中心にありかつ他方がドリル本体の周辺にある一対のインサートポケットを含む。ドリル本体（５０２）はまた、穿孔作業中に生じるチップを除去するために、ドリル本体の円周のヘリカルフルート（５０３）を含む。穿孔作業中に生じるチップは、ドリルインサート（１００）の突出部（１１１）によって切削され、チップを廃棄するためにドリル本体（５０２）のヘリカルフルート（５０３）を介して案内される。一実施形態では、穿孔作業中に生じる力がドリル軸線（５０４）に導かれるように、内向き／中心インサート及び外向き／周辺インサートがドリル本体（５０２）に位置付けされ、これにより、ドリル本体（５０２）がその中心からずれることが防止される。
【００３７】
本開示の一実施形態では、穿孔作業中に、内向きインサートが、最初に、適度な切削力を加え、次に、外向き／周辺インサートがワークピースを切削し始める。
【００３８】
図６は、ドリル本体（５０２）の周辺ポケット（６０２）から分解した本開示のドリルインサート（１００）を有するドリル工具（５００）の部分分解図を示している例示的な実施形態である。ドリルインサート（１００）がドリル本体（５０２）の周辺ポケット（６０２）内に位置付けされると、周辺ポケット（６０２）の形状はドリルインサート（１００）の形状と整合する。さらに、周辺ポケット（６０２）は、インサートねじ（６０１）を使用してドリルインサート（１００）とドリル本体（５０２）とを締結するためのねじ付き穴（図示せず）を含む。インサートねじ（６０１）は一連の段部とねじ付き部とを含み、このねじ付き部はドリルインサート（１００）の貫通穴（１０９）を通過し、ドリルインサート（１００）を周辺ポケット（６０２）内に締結する。さらに、ドリル本体（５００）はその中心ポケットに従来のインサートを備える。
【００３９】
利点
本開示は、四辺形の割出し可能なドリルインサートを提供し、このドリルインサートでは、全ての４つの切刃が穿孔のために別個に使用され、すなわち１つの刃が摩耗した場合に次の刃を切削のために使用することができる。
【００４０】
本開示は、四辺形の割出し可能なドリルインサートを提供し、このドリルインサートは、ドリル軸線（５０４）に向かって力を導くために複数の部分刃に分割される４つの同一の切刃を有し、これにより、ドリルがその中心からずれることが排除される。
【００４１】
本開示は、四辺形の割出し可能なドリルインサートを提供し、このドリルインサートはその底部に、インサートによるドリル穴の擦れを防止する面取り部を有する。
【００４２】
本開示は、四辺形の割出し可能なドリルインサートを提供し、このドリルインサートは、穿孔工程中に生じるチップを破壊するために、ドリルインサートの頂面に突出部を有する。
【００４３】
本開示は、四辺形の割出し可能なドリルインサートを提供し、このドリルインサートは、より優れたより滑らかなチップ形成を可能にするために、ドリルインサートの凹曲線と凸曲線との間に直線状の部分刃を有し、これによって、ドリル加工の品質を改善する。
【００４４】
相当語句
本明細書における実質的に任意の複数形及び／又は単数形の用語の使用に関し、当業者は、内容及び／又は用途に適切であるように、複数形から単数形に及び／又は単数形から複数形に変えることができる。様々な単数形／複数形の置換は、明確さのために本明細書で明確に規定することが可能である。
【００４５】
一般に、本明細書、特に添付の特許請求の範囲（例えば、添付の特許請求の範囲の本体）に用いられる用語は、通常、「開かれた」用語として意図される（例えば、「含んでいる」という用語は、「〜を含んでいるが、それらに限定されない」と解釈すべきであり、「有している」という用語は、「〜を少なくとも有している」と解釈すべきであり、「含む」という用語は、「〜を含むが、それらに限定されない」と解釈すべきである、等々）ことが当業者によって理解されるであろう。導入された請求項の詳述の特定の数が意図されている場合、このような意図は請求項に明示的に詳述され、そのような詳述がない場合にはそうした意図は存在しないことが当業者によってさらに理解されるであろう。例えば、理解の助けとして、以下の添付の特許請求の範囲は、請求項の詳述を導入するために、「少なくとも１つの」及び「１つ以上の」という導入句の使用を含むことがある。しかし、このような句の使用は、同じ請求項が、導入句「１つ以上の」又は「少なくとも１つの」及び「ａ」又は「ａｎ」等の不定冠詞を含むときでも、不定冠詞「ａ」又は「ａｎ」による請求項の詳述の導入が、このような導入された請求項の詳述を含む任意の特定の請求項を、１つのみのこのような詳述を含む発明に限定することを意味すると解釈されるべきではなく（例えば、「ａ」及び／又は「ａｎ」は、典型的に、「少なくとも１つの」又は「１つ以上の」を意味すると解釈すべきである）、同じことが、請求項の詳述を導入するために使用される定冠詞の使用についても当てはまる。さらに、導入された請求項の詳述の特定の数が明示的に詳述されているとしても、当業者は、このような詳述が、典型的に、少なくとも１つの詳述された数を意味すると解釈すべきであることを認識するであろう（例えば、他の修飾語句をもたない「２つの詳述」という裸の詳述は、典型的に、少なくとも２つの詳述、又は２つ以上の詳述を意味する）。さらに、「Ａ、Ｂ、及びＣの少なくとも１つ、等々」と同様の慣例が使用される当該例において、一般に、このような構文は、当業者が慣例を理解するであろう意味に意図される（例えば、「Ａ、Ｂ、及びＣの少なくとも１つを有するシステム」は、Ａのみ、Ｂのみ、Ｃのみ、ＡとＢを共に、ＡとＣを共に、ＢとＣを共に、及び／又はＡ、Ｂ、及びＣを共に、等々を有するシステムを含むが、それらに限定されないであろう）。「Ａ、Ｂ、又はＣの少なくとも１つ、等々」と同様の慣例が使用される当該例において、一般に、このような構文は、当業者が慣例を理解するであろう意味に意図される（例えば、「Ａ、Ｂ、又はＣの少なくとも１つを有するシステム」は、Ａのみ、Ｂのみ、Ｃのみ、ＡとＢを共に、ＡとＣを共に、ＢとＣを共に、及び／又はＡ、Ｂ、及びＣを共に、等々を有するシステムを含むが、それらに限定されないであろう）。説明、請求項、又は図面であるにしろ、２つ以上の代替用語を提供する実質的に任意の離接語及び／又は句は、用語の１つ、用語のどちらか、又は両方の用語を含む可能性を考慮するように理解すべきであることが当業者によってさらに理解されるであろう。例えば、「Ａ又はＢ」という句は、「Ａ」又は「Ｂ」又は「Ａ及びＢ」の可能性を含むと理解されるであろう。
【００４６】
様々な態様及び実施形態について本明細書に開示してきたが、他の態様及び実施形態が当業者に明らかであろう。本明細書に開示した様々な態様及び実施形態は例示目的のためにあり、限定することを意図するものではなく、真の範囲及び精神は以下の特許請求の範囲によって指示される。
【００４７】
この点において、１つのみ又は任意の組み合わせであるにしろ、上記の構成要素の全てが本発明にとって不可欠であると主張され、特に、図面に示した詳細及び図面の参照番号が以下のように付与されることに留意されたい。
【符号の説明】
【００４８】
１００  ドリルインサート
１０１  インサートの頂面
１０２  インサートの側面
１０２ａ  刃面のコーナー
１０３  切刃
１０４  第１の部分刃
１０５  凸曲線
１０６  第２の部分刃
１０８  第３の部分刃
１０７ａ  凹曲線
１０７ｂ  凸曲線
１０９  第４の部分刃
１１０  ノーズ部
１１１  貫通穴
１１１ａ  貫通穴の口部
１１１ｂ  段部
１１２  面取り部
１１３  頂面の突出部
１１４  側面の突出部
２０１  インサートの底面
３０１  仮想内接円直径
５０１  ドリル工具のシャンク部
５０２  ドリル本体
５０３  ドリル本体のヘリカルフルート
６０１  インサートねじ
６０２  ドリル本体の周辺ポケット
Ａ−Ａ  ドリルインサートの垂直軸線
Ｂ−Ｂ  ドリルインサートの水平軸線
α  第１の部分刃の角度
β  第２の部分刃の角度
ε  第３の部分刃の角度
Φ  第４の部分刃の角度
Ｒ  コーナー部の半径
Ψ  側面の角度
γ  面取り部の角度
【図１】
0006319950.tif 000002
【図２】
0006319950.tif 000003
【図３】
0006319950.tif 000004
【図４】
0006319950.tif 000005
【図５】
0006319950.tif 000006
【図６】
0006319950.tif 000007